(57)【要約】      （修正有）【課題】照明角度が大きい発光ダイオードランプを提供する。【解決手段】ＬＥＤ光源モジュールブロック設置エリアを具えた放熱ベース３０、該放熱ベースのＬＥＤ光源モジュールブロック設置エリアに設置される立体構造多角形ＬＥＤ光源モジュール３２であって、立体構造回路基板４０と複数のＬＥＤ発光素子４２を包含し、該立体構造回路基板に中央上板部材４４と該中央上板部材の側辺が折り曲げられて延伸されてなる少なくとも三つの支持片側板部材４６が形成され、該立体構造回路基板は該放熱ベースのＬＥＤ光源モジュールブロック設置エリアに固定され、該複数のＬＥＤ発光素子はそれぞれ該立体構造回路基板の中央上板部材と該少なくとも三つの支持片側板部材に設置される、上記立体構造多角形ＬＥＤ光源モジュール、及び、該放熱ベースに固定されて該立体構造多角形ＬＥＤ光源モジュールを被覆する透明カバー３４を包含する。【選択図】図２
0003169011.tif 000002
【実用新案登録請求の範囲】
【請求項１】
発光ダイオードランプにおいて、
ＬＥＤ光源モジュールブロック設置エリアを具えた放熱ベースと、
立体構造多角形ＬＥＤ光源モジュールであって、該放熱ベースの該ＬＥＤ光源モジュールブロック設置エリアに設置され、立体構造回路基板と複数のＬＥＤ発光素子を包含し、該立体構造回路基板に、中央上板部材と該中央上板部材の側辺が折り曲げられて延伸されてなる少なくとも三つの支持片側板部材が設けられ、該立体構造回路基板は該放熱ベースの該ＬＥＤ光源モジュールブロック設置エリアに設置され、該複数のＬＥＤ発光素子は、該立体構造回路基板の中央上板部材及び少なくとも三つの支持片側板部材にそれぞれ設置される、上記立体構造多角形ＬＥＤ光源モジュールと、
該放熱ベース上に固定されて、該立体構造多角形ＬＥＤ光源モジュールを被覆する透明カバーと、
を包含したことを特徴とする、発光ダイオードランプ。
【請求項２】
請求項１記載の発光ダイオードランプにおいて、該放熱ベースに複数の放熱片が設けられたことを特徴とする、発光ダイオードランプ。
【請求項３】
請求項１記載の発光ダイオードランプにおいて、該立体構造多角形ＬＥＤ光源モジュールの立体構造回路基板に５個の支持片側板部材が設けられたことを特徴とする、発光ダイオードランプ。
【請求項４】
請求項１記載の発光ダイオードランプにおいて、該立体構造多角形ＬＥＤ光源モジュールの立体構造回路基板の中央上板部材と支持片側板部材それぞれに少なくとも一つのＬＥＤ発光素子が設けられたことを特徴とする、発光ダイオードランプ。
【請求項５】
請求項１記載の発光ダイオードランプにおいて、該立体構造多角形ＬＥＤ光源モジュールの少なくとも一つの支持片側板部材に少なくとも二つの、同一平面上にない支持片側板が設けられ、該複数のＬＥＤ発光素子が各支持片側板にそれぞれ設置されたことを特徴とする、発光ダイオードランプ。
【請求項６】
請求項５記載の発光ダイオードランプにおいて、該立体構造多角形ＬＥＤ光源モジュールの支持片側板部材に四つの同一平面にない支持片側板が設けられたことを特徴とする、発光ダイオードランプ。
【請求項７】
請求項１記載の発光ダイオードランプにおいて、該立体構造多角形ＬＥＤ光源モジュールの各支持片側板部材が同一平面上にない少なくとも二つの支持片側板を具えたことを特徴とする、発光ダイオードランプ。
【請求項８】
請求項１記載の発光ダイオードランプにおいて、該立体構造多角形ＬＥＤ光源モジュールの各支持片側板部材が同一平面上にない四つの支持片側板を具えたことを特徴とする、発光ダイオードランプ。
【請求項９】
請求項１記載の発光ダイオードランプにおいて、該放熱ベースのＬＥＤ光源モジュールブロック設置エリアにブロック固定シートが設けられ、該立体構造回路基板は該ブロック固定シートに設置されることを特徴とする、発光ダイオードランプ。
【考案の詳細な説明】
【技術分野】
【０００１】
本考案は発光ダイオードランプに係り、特に、照明角度が大きい発光ダイオードランプであって、立体構造多角形ＬＥＤ光源モジュールの立体構造回路基板が折り曲げられて異なる平面の複数の支持片側板部材が設けられ、ＬＥＤ発光素子が該支持片側板部材に置かれ、これにより照明角度が大きくされたものに関する。
【背景技術】
【０００２】
ＬＥＤの発光原理は、半導体固有の特性を利用し、それは以前の白熱灯発熱の発光原理とは異なり、電流を順方向で半導体のｐｎ接合に流す時に光線を発生し、ゆえに、ＬＥＤは冷光源（ｃｏｌｄ  ｌｉｇｈｔ）と称される。ＬＥＤは高い耐久性、長寿命、コンパクト、消費電力が少なく且つ水銀等の有害物質を含まない等の長所を有するため、広く照明設備産業において応用され、且つそれは通常、ＬＥＤアレイパッケージ方式で、電子看板、交通標識等の領域に応用される。
【０００３】
現在、ＬＥＤ照明光源はすでに毎ワット１００Ｉｍの輝度を達しており、伝統的なバルブが毎ワット１２Ｉｍであるのに較べ、消費電力の差は８倍にも達し、ゆえにＬＥＤ光源は次第に伝統的なタングステンランプに代わる趨勢にあり、関係するＬＥＤ照明製品はすでに市販され、たとえば、ＬＥＤバルブ、ＬＥＤ蛍光灯がある。
【０００４】
図１は周知のＬＥＤランプであり、それは、放熱ベース１０、ＬＥＤ光源モジュール１２、及び透明カバー１４を包含する。放熱ベース１０は平面のＬＥＤ光源モジュール設置エリア１６と複数の放熱片１８を有する。ＬＥＤ光源モジュール１２はＬＥＤ光源モジュール設置エリア１６に設置され、それに基板２０と基板２０上に位置する複数のＬＥＤ発光素子２２が設けられている。透明カバー１４は放熱ベース１０上に設置されて、ＬＥＤ光源モジュール１２を被覆して、ＬＥＤ発光素子２２の発光後に光線は透明カバー１４を通して射出される。
【考案の概要】
【考案が解決しようとする課題】
【０００５】
上述の周知のランプは、ＬＥＤ発光素子２２が平面の基板２０上に設けられるため、ＬＥＤ発光素子２２が基板２０の上方に向けて照射し、ランプの照明は最も大きくて１８０度範囲しかなく、それより大きな角度の照明効果は得られず、これが現在のＬＥＤランプの欠点である。さらに米国のエネルギースター（Ｅｎｅｒｇｙ  ．ｓｔａｒ）は一部ＬＥＤランプを伝統的なバルブに置き換えなければならないことを規定しているが、その発光角度は２７０度より大きくなければならず、既存のＬＥＤランプはこの規定を達成するのは難しい。
【０００６】
これを鑑み、本考案者は研究開発を進め、終に本考案の、照明角度が大きく、良好な照明効果を得られ、且つ製造上、相当に便利で、生産コストを下げられる発光ダイオードランプを創作した。
【０００７】
本考案の目的は、照明角度が大きい発光ダイオードランプを提供することにあり、それは比較的大きな照明角度を有して伝統的なタングステンバルブに置き換わる。
【課題を解決するための手段】
【０００８】
上述の機能及び目的を達成するため、本考案の特徴は、放熱ベース、立体構造多角形ＬＥＤ光源モジュール、及び、透明カバーを包含する。
【０００９】
該放熱ベースはＬＥＤ光源モジュールブロック設置エリアを有する。
【００１０】
該立体構造多角形ＬＥＤ光源モジュールは該放熱ベースの該ＬＥＤ光源モジュールブロック設置エリアに設置される。
【００１１】
該立体構造多角形ＬＥＤ光源モジュールは、立体構造回路基板と複数のＬＥＤ発光素子を包含し、該立体構造回路基板に、中央上板部材と該中央上板部材の側辺が折り曲げられて延伸されてなる複数の支持片側板部材が設けられて、該立体構造回路基板が立体構造を形成し、且つ該立体構造回路基板の支持片側板部材は少なくとも３個設けられる。
【００１２】
該立体構造回路基板は該放熱ベースの該ＬＥＤ光源モジュールブロック設置エリアに設置され、該複数のＬＥＤ発光素子は、該立体構造回路基板の中央上板部材及び少なくとも三つの支持片側板部材に設置される。
【００１３】
該透明カバーは、該放熱ベース上に固定されて、該立体構造多角形ＬＥＤ光源モジュールを被覆すると共に光を均一化する作用を有する。
【考案の効果】
【００１４】
ゆえに、ＬＥＤ発光素子が該立体構造回路基板の中央上板部材及び支持片側板部材上に設置されることで、ランプの照明の角度が大きくされ、米国のエネルギースターの照明角度を２７０度より大きくする要求に符合する。
【図面の簡単な説明】
【００１５】
【図１】周知の発光ダイオードランプの断面図である。
【図２】本考案の発光ダイオードランプの立体分解図である。
【図３】図２の組合せ断面図である。
【図４】本考案の立体構造多角形ＬＥＤ光源モジュールの第１実施例の未折り曲げ状態の表示図である。
【図５】本考案の立体構造多角形ＬＥＤ光源モジュールの第２実施例の未折り曲げ状態の表示図である。
【図６】本考案の立体構造多角形ＬＥＤ光源モジュールの第３実施例の未折り曲げ状態の表示図である。
【図７】図６の折り曲げ後の表示図である。
【図８】本考案の立体構造多角形ＬＥＤ光源モジュールの第４実施例の未折り曲げ状態の表示図である。
【図９】図８の折り曲げ後の表示図である。
【考案を実施するための形態】
【００１６】
本考案の技術内容、構造特徴、達成する目的を詳細に説明するため、以下に実施例を挙げ並びに図面を組み合わせて説明する。
【００１７】
図２及び図３を参照されたい。本考案の発光ダイオードランプは周知の技術よりも大きな照明角度を有し、それは放熱ベース３０、立体構造多角形ＬＥＤ光源モジュール３２及び透明カバー３４を包含する。
【００１８】
そのうち、該放熱ベース３０はＬＥＤ光源モジュールブロック設置エリア３６と、ＬＥＤ光源モジュールブロック設置エリア３６に位置するブロック固定シート３８と複数の放熱片３９を具えている。
【００１９】
該立体構造多角形ＬＥＤ光源モジュール３２は、立体構造回路基板４０と複数のＬＥＤ発光素子４２を包含する。該立体構造回路基板４０には中央上板部材４４と該中央上板部材４４の側辺が折り曲げられ延伸されてなる５個の支持片側板部材４６が形成されている。
【００２０】
該立体構造回路基板４０は該放熱ベース３０のブロック固定シート３８上に固定される。複数の該ＬＥＤ発光素子４２は、該立体構造回路基板４０の中央上板部材４４と５個の支持片側板部材４６のそれぞれに設置される。
【００２１】
該透明カバー３４は、放熱ベース３０上に固定されて、該立体構造多角形ＬＥＤ光源モジュール３２を被覆する。
【００２２】
こうして、ＬＥＤ発光素子４２が立体構造回路基板４０の中央上板部材４４と支持片側板部材４６にそれぞれ設置されることで、ランプの照明角度が広げられ、これにより照明範囲を広げる目的を達成する。
【００２３】
図４を参照されたい。そのうち、立体構造回路基板４０は中央上板部材４４と５個の支持片側板部材４６を有し、ＬＥＤ発光素子４２は中央上板部材４４と５個の支持片側板部材４６のそれぞれに設置されている。
【００２４】
図５を参照されたい。そのうち、立体構造回路基板４０は中央上板部材４４と３個の支持片側板部材４６を有し、ＬＥＤ発光素子４２は中央上板部材４４と３個の支持片側板部材４６のそれぞれに設置されている。
【００２５】
図６、図７を参照されたい。そのうち、立体構造回路基板４０は中央上板部材４４と６個の支持片側板部材４６を有し、各支持片側板部材４６は二つの異なる湾曲平面に位置する支持片側板４８を包含し、ＬＥＤ発光素子４２は中央上板部材４４と支持片側板４８のそれぞれに設置されている。
【００２６】
図８、図９を参照されたい。そのうち、立体構造回路基板４０は中央上板部材４４と８個の支持片側板部材４６を有し、各支持片側板部材４６は二つの異なる湾曲平面に位置する支持片側板４８を包含し、ＬＥＤ発光素子４２は中央上板部材４４と支持片側板４８のそれぞれに設置されている。
【００２７】
ゆえに、ＬＥＤ発光素子４２は立体構造回路基板４０の中央上板部材４４と支持片側板４８に置かれ、ランプの照明角度を増すことができる。
【００２８】
好ましい実施例の詳細な説明中に提示された具体的な実施例は本考案の技術内容を説明しやすくするための技術内容であり、本考案を制限するものではなく、本考案の精神と請求範囲内において行われる数々の変化はいずれも本考案の範囲に属する。
【符号の説明】
【００２９】
３０  放熱ベース
３２  立体構造多角形ＬＥＤ光源モジュール
３４  透明カバー
３６  ＬＥＤ光源モジュールブロック設置エリア
３８  ブロック固定シート
３９  放熱片
４０  立体構造回路基板
４２  ＬＥＤ発光素子
４４  中央上板部材
４６  支持片側板部材
４８  支持片側板
【図１】
0003169011.tif 000003
【図２】
0003169011.tif 000004
【図３】
0003169011.tif 000005
【図４】
0003169011.tif 000006
【図５】
0003169011.tif 000007
【図６】
0003169011.tif 000008
【図７】
0003169011.tif 000009
【図８】
0003169011.tif 000010
【図９】
0003169011.tif 000011